(57)【要約】      （修正有）【課題】対象物を好適に把持できるスポーツ用手袋を提供する。【解決手段】手の甲側を覆う甲部２を備えるスポーツ用手袋１において、甲部には、中指、薬指、及び、小指の曲げ規制部３ｂに比べ人差し指の曲げ抵抗を高める曲げ規制部３ａが設けられている。【選択図】図１
0003209002.tif 000002
【実用新案登録請求の範囲】
【請求項１】
手の甲側を覆う甲部を備えるスポーツ用手袋であって、
前記甲部には、中指、薬指、及び、小指に比べ人差し指の曲げ抵抗を高める曲げ規制部が設けられているスポーツ用手袋。
【請求項２】
前記曲げ規制部は、人差し指に対応する部位の少なくとも一部に設けられた第一曲げ規制部と、中指、薬指、及び、小指のうちの少なくとも一つの指に対応する部位の少なくとも一部に設けられた第二曲げ規制部と、を備え、
前記第二曲げ規制部に比べ、前記第一曲げ規制部の曲げ抵抗を高めてある請求項１に記載のスポーツ用手袋。
【請求項３】
前記第一曲げ規制部は、少なくとも人差し指の第一関節と第二関節との間の部位から基節を超える部位にわたり設けられており、
前記第二曲げ規制部は、少なくとも前記第二曲げ規制部が設けられる指の基節を覆う部位には設けられていない請求項２に記載のスポーツ用手袋。
【請求項４】
前記第一曲げ規制部は、少なくとも人差し指の第一関節と第二関節との間の部位から基節を超える部位にわたり設けられており、
前記第二曲げ規制部についても、少なくとも前記第二曲げ規制部が設けられる指の第一関節と第二関節との間の部位から基節を超える部位にわたり設けられている請求項２に記載のスポーツ用手袋。
【請求項５】
前記第一曲げ規制部と前記第二曲げ規制部との間で幅、厚さ、及び、硬度のうちの少なくとも一つに差を設けて前記第二曲げ規制部に比べ、前記第一曲げ規制部の曲げ抵抗を高めてある請求項２〜４のいずれか一項に記載のスポーツ用手袋。
【請求項６】
前記甲部のうち、少なくとも前記曲げ規制部に対応する部分はメッシュ素材で形成され、
前記メッシュ素材の上に樹脂素材からなる前記曲げ規制部が固着されている請求項１〜５のいずれか一項に記載のスポーツ用手袋。
【考案の詳細な説明】
【技術分野】
【０００１】
本考案は、手の甲側を覆う甲部を備えるスポーツ用手袋に関する。
【背景技術】
【０００２】
野球などのスポーツでは、一般に、バットなどの対象物を把持する際に、親指や人指し指よりも中指、薬指、及び、小指により対象物を把持し、親指や人指し指でバットを把持する力は極力小さくすることが好ましいとされている。そして、特許第３９１９４３３号公報（特許文献１）には、この種のスポーツ用手袋として、親指や人指し指よりも中指、薬指、及び、小指でしっかりと対象物を把持できるように、中指、薬指、及び、小指の曲げ抵抗を人差し指の曲げ抵抗よりも高めることで、中指、薬指、及び、小指に締め付け力を付与することが提案されている。
【先行技術文献】
【特許文献】
【０００３】
【特許文献１】特許第３９１９４３３号公報
【考案の概要】
【考案が解決しようとする課題】
【０００４】
しかし、親指や人指し指で対象物を把持する力を小さくし、中指、薬指、及び、小指で対象物を把持する力を大きくするという観点からは、上記従来のスポーツ用手袋には改良の余地がある。
【０００５】
そこで、対象物を好適に把持できるスポーツ用手袋の実現が望まれる。
【課題を解決するための手段】
【０００６】
本考案に係るスポーツ用手袋は、
手の甲側を覆う甲部を備えるスポーツ用手袋であって、
前記甲部には、中指、薬指、及び、小指に比べ人差し指の曲げ抵抗を高める曲げ規制部が設けられている。
【０００７】
この構成によれば、中指、薬指、及び、小指に比べ人差し指の曲げ抵抗を高めることにより、スポーツ用手袋を身に着ける者が意識することなく、親指や人指し指で対象物を把持する力が小さくなり、またこれにより、中指、薬指、及び、小指で対象物を把持する力が相対的に大きくなる。このように、上記構成のスポーツ用手袋によれば、親指や人指し指で対象物を把持する力を小さくでき、且つ、中指、薬指、及び、小指で対象物を把持する力を大きくでき、対象物を好適に把持できる。
【０００８】
以下、本考案に係るスポーツ用手袋の好適な態様について説明する。但し、以下に記載する好適な態様例によって、本考案の範囲が限定される訳ではない。
【０００９】
１つの態様として、前記曲げ規制部は、人差し指に対応する部位の少なくとも一部に設けられた第一曲げ規制部と、中指、薬指、及び、小指のうちの少なくとも一つの指に対応する部位の少なくとも一部に設けられた第二曲げ規制部と、を備え、前記第二曲げ規制部に比べ、前記第一曲げ規制部の曲げ抵抗を高めてあると好適である。
【００１０】
この構成によれば、中指、薬指、及び、小指に比べ人差し指の曲げ抵抗を高めつつ、第二曲げ規制部により中指側（中指、薬指、及び、小指）に適度な締め付け力を加えることができ、中指、薬指、及び、小指で対象物を把持する力が強くなり過ぎないようにすることができる。これにより、対象物をより好適に把持できる。
【００１１】
１つの態様として、前記第一曲げ規制部は、少なくとも人差し指の第一関節と第二関節との間の部位から基節を超える部位にわたり設けられており、前記第二曲げ規制部は、少なくとも前記第二曲げ規制部が設けられる指の基節を覆う部位には設けられていないと好適である。
【００１２】
この構成によれば、第二曲げ規制部が少なくとも対応する指の基節を覆わない分だけ、第二曲げ規制部に比べ、第一曲げ規制部の曲げ抵抗を高くすることができる。これにより、第一曲げ規制部と第二曲げ規制部とで同じ素材を使いながらも容易に曲げ抵抗に差を設けることができ、第一曲げ規制部と第二曲げ規制部とで異なる素材を用いるのに比べ、製造コストを低減できる。
【００１３】
１つの態様として、前記第一曲げ規制部は、少なくとも人差し指の第一関節と第二関節との間の部位から基節を超える部位にわたり設けられており、前記第二曲げ規制部についても、少なくとも前記第二曲げ規制部が設けられる指の第一関節と第二関節との間の部位から基節を超える部位にわたり設けられていると好適である。
【００１４】
この構成によれば、第二曲げ規制部によって中指側（中指、薬指、及び、小指）に適度な締め付け力を加えることができる。
【００１５】
１つの態様として、前記第一曲げ規制部と前記第二曲げ規制部との間で幅、厚さ、及び、硬度のうちの少なくとも一つに差を設けて前記第二曲げ規制部に比べ、前記第一曲げ規制部の曲げ抵抗を高めてあると好適である。
【００１６】
この構成によれば、第二曲げ規制部に比べて第一曲げ規制部の曲げ抵抗を容易に高めることができる。
【００１７】
１つの態様として、前記甲部のうち、少なくとも前記曲げ規制部に対応する部分はメッシュ素材で形成され、前記メッシュ素材の上に樹脂素材からなる前記曲げ規制部が固着されていると好適である。
【００１８】
表面の粗いメッシュ素材であれば樹脂素材を絡ませ易くなるため、この構成によれば、樹脂素材からなる曲げ規制部の甲部への固着強度を効果的に高めることができる。
【図面の簡単な説明】
【００１９】
【図１】本実施形態に係るスポーツ用手袋の甲部を示す図
【考案を実施するための形態】
【００２０】
本考案に係るスポーツ用手袋の実施形態について、図面を参照して説明する。図１は、本実施形態に係るスポーツ用手袋１を手の甲側からみた図であり、本実施形態に係るスポーツ用手袋１は手の甲を覆う甲部２と、スポーツ用手袋１を手首に対して固定させるためのベルト部５と、を備える。また、図示は省略しているが、スポーツ用手袋１は掌側を覆う掌部も備えている。なお、甲部２や掌部に用いる素材は、天然皮革、合成皮革、人工皮革等目的に応じてどのようなものを選択してもよい。
【００２１】
本実施形態に係るスポーツ用手袋１の特徴を説明すると、本実施形態では、甲部２には、中指、薬指、及び、小指に比べ人差し指の曲げ抵抗を高める曲げ規制部３が設けられている。より具体的には、曲げ規制部３は、人差し指に対応する部位の少なくとも一部に設けられた第一曲げ規制部３ａと、中指、薬指、及び、小指のうちの少なくとも一つの指に対応する部位の少なくとも一部に設けられる第二曲げ規制部３ｂと、からなる（本実施形態では、中指、薬指、及び、小指に第二曲げ規制部３ｂを設けてある）。そして、第二曲げ規制部３ｂに比べ、第一曲げ規制部３ａの曲げ抵抗を高めるようにしてある。
【００２２】
なお、第二曲げ規制部３ｂに比べ、第一曲げ規制部３ａの曲げ抵抗を高める手段としては、例えば、第一曲げ規制部３ａが、少なくとも人差し指の第一関節と第二関節との間の部位から基節を超える部位にわたり設けられ、第二曲げ規制部３ｂが、少なくとも前記第二曲げ規制部が設けられる指の基節を覆う部位には設けられていないようにすることが挙げられる。このようにすれば、第二曲げ規制部３ｂが少なくとも対応する指の基節を覆わない分だけ、第二曲げ規制部３ｂに比べ、第一曲げ規制部３ａの曲げ抵抗を高くすることができる。そして、本実施形態では、第一曲げ規制部３ａは、中手骨に対応する部位から第一関節付近に対応する部位にわたり設けられ、第二曲げ規制部３ｂは、各指の基節を覆う部位を避けて、各指の基節を覆う部位の上方から第一関節付近に対応する部位にわたり設けられている。
【００２３】
本実施形態のスポーツ用手袋１によれば、中指、薬指、及び、小指に比べ人差し指の曲げ抵抗を高めることにより、スポーツ用手袋１を身に着ける者が意識することなく、親指や人指し指でバット等の対象物を把持する力が小さくなり、またこれにより、中指、薬指、及び、小指で対象物を把持する力が相対的に大きくなる。そして、第二曲げ規制部３ｂにより中指側（中指、薬指、及び、小指）に適度な締め付け力を加えることができ、中指、薬指、及び、小指で対象物を把持する力が強くなり過ぎない適当な力とすることができる。これにより、対象物を好適に把持できる。
【００２４】
また、本実施形態では、曲げ規制部３は樹脂素材から形成してあり、熱融着等種々の方法により甲部２に対して固着されている。曲げ規制部３を形成する樹脂素材としては、シリコン、ゴム、ウレタン（例えばＴＰＵ）など一定の剛性を有する素材が好適であるが、特に限定されず適宜選択すればよい。そして、甲部２のうち、少なくとも曲げ規制部３に対応する部分はメッシュ素材４で形成されており、より具体的には、本実施形態では、曲げ規制部３に対応する部分と、人差し指、中指、薬指、及び、小指の基節に沿う部分とがメッシュ素材４で形成されている。そして、メッシュ素材４の上に樹脂素材からなる曲げ規制部３が固着されている。表面の粗いメッシュ素材４であれば樹脂素材が絡み易くなるため、樹脂素材からなる曲げ規制部３の甲部２への固着強度を高めることができる。
【００２５】
なお、曲げ規制部３は樹脂素材以外の素材で形成されていてもよく、甲部２のうち、曲げ規制部３に対応する部分をメッシュ素材４としなくてもよい。
【００２６】
前述の実施形態では、曲げ規制部３として、第一曲げ規制部３ａと第二曲げ規制部３ｂとを用いて、人差し指の他、中指等に対応する部位にも曲げ規制部３を設ける構成を説明した。しかし、本考案の範囲はこれに限定されず、人差し指のみに曲げ規制部３を設けて、中指、薬指、及び、小指に比べ人差し指の曲げ抵抗を高めるようにしてもよい。
【００２７】
なお、前述の実施形態では、第一曲げ規制部３ａを少なくとも人差し指の第一関節と第二関節との間の部位から基節を超える部位にわたり設け、第二曲げ規制部３ｂを少なくとも第二曲げ規制部３ｂが設けられる指の基節を覆う部位には設けないようにして、第二曲げ規制部３ｂに比べ、第一曲げ規制部３ａの曲げ抵抗を高めるようにした。しかし、第二曲げ規制部３ｂに比べ、第一曲げ規制部３ａの曲げ抵抗を高める方法はこれに限定されない。例えば、第一曲げ規制部３ａと第二曲げ規制部３ｂとの間で幅、厚さ、及び、硬度のうちの少なくとも一つに差を設けて第二曲げ規制部３ｂに比べ、第一曲げ規制部３ａの曲げ抵抗を高めてもよい。この場合、硬度に差を設ける場合には、第一曲げ規制部３ａの方に硬度の高い素材を用いるようにして、第一曲げ規制部３ａと第二曲げ規制部３ｂとで用いる素材を変えることが挙げられる（例えば、第一曲げ規制部３ａにウレタンを用い、第二曲げ規制部３ｂにシリコンを用いるなど）。また、幅、厚さ、及び、硬度等に差を設けて第二曲げ規制部３ｂに比べ、第一曲げ規制部３ａの曲げ抵抗を高める場合、第一曲げ規制部３ａと同様に、第二曲げ規制部３ｂについても、少なくとも第二曲げ規制部３ｂが設けられる指の第一関節と第二関節との間の部位から基節を超える部位にわたり設けるようにしてもよい。
【００２８】
その他、本明細書において開示された実施形態は全ての点で例示であって、本考案の範囲はそれらによって限定されることはないと理解されるべきである。当業者であれば、本考案の趣旨を逸脱しない範囲で、適宜改変が可能であることを容易に理解できるであろう。従って、本考案の趣旨を逸脱しない範囲で改変された別の実施形態も、当然、本考案の範囲に含まれる。
【産業上の利用可能性】
【００２９】
本考案は、例えばスポーツ用手袋に利用することができる。
【符号の説明】
【００３０】
１      スポーツ用手袋
２      甲部
３      曲げ規制部
３ａ    第一曲げ規制部
３ｂ    第二曲げ規制部
４      メッシュ素材
【図１】
0003209002.tif 000003